(57)【要約】【課題】従来、冷蔵庫内の野菜容器は前面扉と共に水平方向へ引き出し自在であり、ペットボトルなどの比較的背の高い物を収納する背高貯蔵物収納部を野菜容器の前面に設け、この収納部も前面扉と共に引き出される。しかし、野菜容器とこの収納部の物の取り出し収納は共に上方開口の真上から行うこととなり依然として作業がし難い。本発明は、前面扉の裏側にペットボトル等の収納部を設け、この収納部とその奥の野菜容器に対する物の取り出しと収納をし易く前面扉を回動式とし、前面扉を回動してペットボトル等を斜め上方に取り出すとき、その取り出しに伴って前面扉が前方へ移動しないように制限する構成を提供する。【解決手段】前面扉とペットボトル等の収納部は、主物品収納部（又は野菜容器）と共に前後方向引き出し状態と主物品収納部とは別個に前方へ回動する状態とに作動可能とし、前面扉を回動したとき前方への移動を制限する構成。【選択図】      図７
2004324917.tif 000002
【特許請求の範囲】
【請求項１】
貯蔵室の前面開口を開閉する前面扉はその裏側に補助物品収納部を備え、前記補助物品収納部の後方位置には前記前面扉と共に前記貯蔵室内に引き出し支持装置で前後方向引き出し自在に支持された主物品収納部が設けられ、前記前面扉と主物品収納部が共に前後方向へ引き出される結合状態とこの結合状態が解除されて前記前面扉が回動可能となる解除状態とに切り替えられる連結装置を備え、前記連結装置が解除されて前記前面扉が回動したとき、前記前面扉の引き出しを制限する係止装置を設けたことを特徴とする物品貯蔵庫。
【請求項２】
貯蔵室の前面開口を開閉する前面扉はその裏側に補助物品収納部を備え、前記補助物品収納部の後方位置には前記前面扉と共に前記貯蔵室内に引き出し支持装置で支持されて前後方向引き出し自在に主物品収納部が設けられ、前記前面扉と主物品収納部が共に前後方向へ引き出される結合状態とこの結合状態が解除されて前記前面扉が回動可能となる解除状態とに切り替えられる連結装置を備え、前記前面扉が前記貯蔵室の前面開口を閉じた状態において、前記連結装置が解除されて回動したとき、前記引き出し支持装置の固定側ローラに係止して前記前面扉の引き出しを制限する係止装置を設けたことを特徴とする物品貯蔵庫。
【請求項３】
貯蔵室の前面開口を開閉する前面扉と共に物品収納容器を前記貯蔵室内に設けた引き出し支持装置に支持されて前記貯蔵室内に引き出し自在に設けた物品貯蔵庫において、前記物品収納容器は前記貯蔵室の左右側壁に対して前後方向に引き出し収納自在に支持され、前記前面扉は軸支持部を中心として上部が前方へ回動可能に支持され、前記前面扉と前記物品収納容器が共に前後方向へ引き出される結合状態と前記結合状態が解除されて前記前面扉が回動可能となる解除状態とに切り替えられる連結装置を備え、前記前面扉の裏側には前記物品収納容器の前方位置で前記前面扉の回動と共に回動する補助物品収納部を設け、前記連結装置が解除されて前記前面扉が回動したとき、前記引き出し支持装置の固定側ローラに係止して前記前面扉の引き出しを制限する係止装置を設けたことを特徴とする物品貯蔵庫。
【請求項４】
前記連結装置の操作部を前記前面扉の取っ手に設けたことを特徴とする請求項１乃至３のいずれかに記載の物品貯蔵庫。
【請求項５】
前記貯蔵室を冷蔵温度室とし、前記補助物品収納部をペットボトル等の如き飲料容器の収納部としたことを特徴とする請求項１乃至４のいずれかに記載の物品貯蔵庫。
【請求項６】
前記貯蔵室を野菜室とし、前記主物品収納部又は前記物品収納容器を上面開口の野菜収納容器とし、前記補助物品収納部をペットボトル等の如き縦長物品を収納する上面開口の収納部としたことを特徴とする請求項１乃至５のいずれかに記載の物品貯蔵庫。
【発明の詳細な説明】
【０００１】
【発明の属する技術分野】
本発明は、貯蔵室の前面開口を開閉する前面扉と共に物品収納容器を前記貯蔵室内に引き出し自在に設けた物品貯蔵庫に関する。
【０００２】
【従来の技術】
野菜室の前面開口を開閉する前面扉と共に野菜容器を野菜室に引き出し自在に設けた冷蔵庫がある（例えば、特許文献１参照）。この冷蔵庫は、野菜容器の前面と前面扉の内面との間に、ペットボトル、ビール瓶及び牛乳パックなどの比較的背の高い貯蔵物を収納する背高貯蔵物収納部を設けた構成である。この背高貯蔵物収納部は、野菜容器と別体形成でもよく、また一体形成でもよいと記載されている。
【０００３】
【特許文献１】
特開２００２‐１５６１８３号公報（第３〜５頁、図１〜１０）
【０００４】
【発明が解決しようとする課題】
特許文献１のものは、前面扉と共に野菜容器が前方へ引き出されるとき背高貯蔵物収納部も一緒に引き出されるが、前面扉と共に野菜容器が前方へ引き出されるとき、野菜容器の奥行きが大きい場合は野菜容器全体が冷蔵庫本体の前方へ引き出されず、そのために野菜室の前面開口周縁部によって野菜容器に対する野菜の収納と取り出し作業は制限される。そして、野菜容器と背高貯蔵物収納部に貯蔵された物の取り出しとそこへの収納は、従来どおり野菜容器と背高貯蔵物収納部の上方開口の真上から行うこととなり、依然としてこの制限は存在する。また背高貯蔵物収納部に貯蔵されたペットボトル、ビール瓶、牛乳パックなど重量が大きなものは、真上に持ち取り出す場合はその全体の重量を持ち上げることになるため、収納と取り出し作業上からして好ましくない。
【０００５】
本発明はこのような点に鑑みて、野菜容器の前面と前面扉の内側面との間に、ペットボトル、ビール瓶及び牛乳パックなどの比較的背の高い貯蔵物を収納する収納部を設けた場合にも、この収納部とその奥の野菜容器に対する物の取り出しと収納をし易い構成を提供するものである。
【０００６】
また、前記前面扉を回動可能に構成し、特に、前記前面扉が野菜室の前面開口を閉じた状態において、前記前面扉を回動して補助物品収納部からペットボトル等を斜め上方に取り出すとき、その取り出しに伴う前面扉の前方への移動が制限されるようにして、ペットボトル等の取り出し操作が安定に行える物品貯蔵庫を提供するものである。
【０００７】
【課題を解決するための手段】
本発明の物品貯蔵庫は、貯蔵室の前面開口を開閉する前面扉はその裏側に補助物品収納部を備え、前記補助物品収納部の後方位置には前記前面扉と共に前記貯蔵室内に引き出し支持装置で前後方向引き出し自在に支持された主物品収納部が設けられ、前記前面扉と主物品収納部が共に前後方向へ引き出される結合状態とこの結合状態が解除されて前記前面扉が回動可能となる解除状態とに切り替えられる連結装置を備え、前記連結装置が解除されて前記前面扉が回動したとき、前記前面扉の引き出しを制限する係止装置を設けたことを特徴とする。
【０００８】
これによって、補助物品収納部にペットボトル、ビール瓶及び牛乳パックなどの比較的背の高い比較的重い物品を収納する場合にも、前面扉と共に補助物品収納部を回動させることにより、重いペットボトル等でも斜め状態で取り扱いができるため、この補助物品収納部に対する物品の取り出しと収納がし易くなり、従来に比して労力が少なく使用性に富む貯蔵庫が提供できる。そして、前面扉を前傾状態に回動させて補助物品収納部からペットボトル等を斜め上方に取り出すとき、係止装置によってその取り出しに伴う前面扉の前方への移動が制限されるため、ペットボトル等の取り出し操作が安定に行える効果がある。
【０００９】
本発明の物品貯蔵庫は、貯蔵室の前面開口を開閉する前面扉はその裏側に補助物品収納部を備え、前記補助物品収納部の後方位置には前記前面扉と共に前記貯蔵室内に設けたローラに支持されて前後方向引き出し自在に主物品収納部が設けられ、前記前面扉と主物品収納部が共に前後方向へ引き出される結合状態とこの結合状態が解除されて前記前面扉が回動可能となる解除状態とに切り替えられる連結装置を備え、前記前面扉が前記貯蔵室の前面開口を閉じた状態において前記連結装置が解除されて回動したとき、前記ローラに係止して前記前面扉の引き出しを制限する係止装置を設けたことを特徴とする。
【００１０】
これによって、補助物品収納部にペットボトル、ビール瓶及び牛乳パックなどの比較的背の高い比較的重い物品を収納する場合にも、前面扉と共に補助物品収納部を回動させることにより、重いペットボトル等でも斜め状態で取り扱いができるため、この補助物品収納部に対する物品の取り出しと収納がし易くなり、従来に比して労力が少なく使用性に富む貯蔵庫が提供できる。そして、前記前面扉が前記貯蔵室の前面開口を閉じた状態において、前面扉を前傾状態に回動させて補助物品収納部からペットボトル等を斜め上方に取り出すとき、係止装置によってその取り出しに伴う前面扉の前方への移動が制限されるため、ペットボトル等の取り出し操作が安定に行える効果がある。
【００１１】
本発明の物品貯蔵庫は、貯蔵室の前面開口を開閉する前面扉と共に物品収納容器を前記貯蔵室内に設けたローラに支持されて前記貯蔵室内に引き出し自在に設けた物品貯蔵庫において、前記物品収納容器は前記貯蔵室の左右側壁に対して前後方向に引き出し収納自在に支持され、前記前面扉は軸支持部を中心として上部が前方へ回動可能に支持され、前記前面扉と前記物品収納容器が共に前後方向へ引き出される結合状態と前記結合状態が解除されて前記前面扉が回動可能となる解除状態とに切り替えられる連結装置を備え、前記前面扉の裏側には前記物品収納容器の前方位置で前記前面扉の回動と共に回動する補助物品収納部を設け、前記連結装置が解除されて前記前面扉が回動したとき、前記ローラに係止して前記前面扉の引き出しを制限する係止装置を設けたことを特徴とする。
【００１２】
このため、連結装置の解除によって前面扉の回動が可能となるため、補助物品収納部への物品の収納及び取り出しの必要時に連結装置を解除操作すれば、前傾状態においての補助物品収納部への物品の収納及び取り出しが可能となり、取り出しと収納がし易くなり、従来に比して労力が少なく使用性に富む貯蔵庫が提供できる。また、前面扉と補助物品収納部の回動によって、補助物品収納部の奥側の物品収納容器への物品の収納及び取り出しもし易くなる効果がある。また、連結装置の解除操作を前面扉の取っ手部に設けることによって、扉の引き出し操作と連結装置の解除操作を片手で行うことができるため便利である。そして、前面扉を前傾状態に回動させて補助物品収納部からペットボトル等を斜め上方に取り出すとき、係止装置によってその取り出しに伴う前面扉の前方への移動が制限されるため、ペットボトル等の取り出し操作が安定に行える効果がある。
【００１３】
また本発明の物品貯蔵庫は、前記貯蔵室を冷蔵温度室とし、前記物品補助収納部をペットボトル等の如き飲料容器の収納部としたことを特徴とする。また、前記貯蔵室を野菜室とし、前記物品収納容器を上面開口の野菜収納容器とし、前記補助物品収納部をペットボトル等の如き縦長物品を収納する上面開口の収納部としたことを特徴とする。
【００１４】
これによって、貯蔵室が冷蔵温度室であることにより、前面扉の回動部分が凍結する心配もなく、常時安定した回動が得られる。そして、物品補助収納部に収納したペットボトル等の如き飲料容器の冷却に適すると共に、前面扉の回動によって前記のようにその飲料容器の取り出しと収納の容易さが達成できる。また、奥側の物品収納容器を上面開口の野菜収納容器とする場合にも、前面扉の回動によって物品補助収納部も回動して前傾状態となるため、野菜収納容器への野菜や根菜の収納及び取り出しもし易くなる。そして、前面扉を前傾状態に回動させて補助物品収納部からペットボトル等を斜め上方に取り出すとき、係止装置によってその取り出しに伴う前面扉の前方への移動が制限されるため、ペットボトル等の取り出し操作が安定に行える効果がある。
【００１５】
【発明の実施の形態】
次に、本発明の冷蔵庫について説明する。各図は本発明の実施形態を示しており、図１は本発明の冷蔵庫の縦断側面図、図２は本発明の扉側と物品収納容器側との関係を示す分解斜視図、図３は本発明の扉を閉じた状態を示す側面図、図４は本発明の扉を引き出して回動した状態を示す側面図、図５は貯蔵室の前面開口を本発明の扉を閉じた状態における貯蔵室右前側部分の平面図、図６は連結装置の一例の説明図、図７は貯蔵室の前面開口を本発明の扉で閉じた状態において本発明の扉を回動した状態を示す側面図、図８は本発明扉の回動軸部の分解斜視図、図９は本発明扉の回動軸部の他の形態を示す分解斜視図である。
【００１６】
これらの図において、１は物品貯蔵庫の一つである冷蔵庫であり、前面開口の本体２内を区画して複数の貯蔵室を形成し、これら各貯蔵室の前面は扉で開閉できる構成である。冷蔵庫本体２は、外箱（外壁板）と内箱（内壁板）との間に発泡断熱材を充填した断熱構造である。冷蔵庫本体２内には、上から冷蔵室３、野菜室４、上冷凍室５、下冷凍室６が区画して設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り替え室と称することもできる。
【００１７】
冷蔵室３の前面開口は、冷蔵庫本体２の一側部にヒンジ装置にて横方向に回動して開閉される回動式の冷蔵室扉１０にて閉塞される。冷蔵室扉１０の内側面には複数段の棚３７を配置している。野菜室４の前面開口は、野菜室４内に設けた左右のレールとローラを含む引き出し支持装置３８によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールとローラを含む引き出し支持装置によって、それぞれ前後方向へ引き出し可能に支持した容器１６、１７と共に前方へ引き出される引き出し式扉１２、１３にて閉塞されている。
【００１８】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷凍冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５及び下冷凍室６へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。
【００１９】
３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。冷気吹き出し口３６は、冷蔵室３の前面開口部の上面にこの前面開口部の略横幅に渡る長さの冷気吹き出し口カバーが、冷気ダクト３５の前端開口を覆い、この冷気吹き出し口カバーに多数の冷気吹き出し小孔が形成された構成である。この冷気吹き出し口３６から吹き出す冷気は、冷蔵室３の前面開口部を矢印のように上から下へ流れる冷気カーテンを形成する。３９は冷蔵室３の背壁に形成した冷気吹き出し口である。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００２０】
このような構成において、各室の温度は、冷蔵室３が約３〜４℃、野菜室４が約４〜６℃に保たれ、上冷凍室８と下冷凍室９が約−１８℃〜−２０℃である。また、冷蔵室扉１０の内側に設けた貯蔵棚上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００２１】
本発明の物品貯蔵庫は、貯蔵室の前面開口を開閉する前面扉はその裏側に補助物品収納部を備え、前記補助物品収納部の後方位置には前記前面扉と共に前記貯蔵室内に引き出し支持装置で支持されて前後方向引き出し自在に主物品収納部が設けられ、前記前面扉と主物品収納部が共に前後方向へ引き出される結合状態とこの結合状態が解除されて前記前面扉が回動可能となる解除状態とに切り替えられる連結装置を備え、前記連結装置が解除されて前記前面扉が回動したとき、前記前面扉の引き出しを制限する係止装置を設けたことを特徴とする。以下、本発明の貯蔵室を上記野菜室４とした実施形態について説明する。
【００２２】
本発明における貯蔵室は野菜室４に相当し、貯蔵室の前面開口を開閉する前面扉は引き出し式扉１１に相当する。また、本発明の主物品収納部及び物品収納容器が上面開口の野菜容器１５に相当する。前面扉１１の裏側には上面開口の補助物品収納部４０を設けており、主物品収納部の野菜容器１５はこの補助物品収納部４０の後方に位置する。野菜容器１５は野菜室４内に設けた左右のレールとローラを含む引き出し支持装置３８によって前後方向へ引き出し可能である。補助物品収納部４０は、ドアポケットとも称するものであり、ペットボトル、ビール瓶及び牛乳パックなどの比較的背が高く比較的重い物品４１を立てた状態で収納するために、扉１１の裏側周縁に配置したマグネット入りパッキン４２の内側領域において横方向に長く設けられている。そして、前面扉１１は引き出し支持装置３８によって前後方向へ引き出し可能に支持され、その引き出しに伴って裏側の補助物品収納部４０が引き出される。また、前面扉１１は引き出し支持装置３８に軸支持装置９０によって回動可能に支持されている。
【００２３】
引き出し支持装置３８について説明する。野菜容器１５は野菜室４内に引き出し支持装置３８によって前後方向へ引き出し可能であり、引き出し支持装置３８に取り外し自在に載置した構成である。その引き出し支持装置３８の構成は、左右辺と後辺を持つコ字状枠形状のレール部材４３を設け、レール部材４３の左右辺の前端が前面扉１１に連結され、このレール部材４３の下側面は野菜室４の左右側壁面の前端寄りに取り付けたローラ４４に載置されている。また、レール部材４３の左右辺の後部にはそれぞれローラ４５が取り付けられ、このローラ４５が野菜室４の左右側壁面に前後方向に水平状態に形成したレール４６に載置される。このような構成の引き出し支持装置３８において、野菜容器１５は、その左右及び後側の上部に形成した載置部８０が、レール部材４３の左右辺と後辺に着脱自在に載置された状態であり、野菜室４内で引き出し支持装置３８によって前後水平方向に引き出し収納自在に支持された構成である。
【００２４】
野菜容器１５は、その前面壁４８は野菜容器１５の底壁からの高さが低く、野菜容器１５の前面上部には前面開口４７が形成された形態をなす。この形状に合わせるように補助物品収納部４０の後壁４９もこの前面壁４８と略同じ程度の高さに形成され、補助物品収納部４０の左右側壁５０は後壁４９からなだらかに扉１１の裏面に向けて高く傾斜した形状をなす。また、野菜容器１５の左右側壁の前端部５１は、補助物品収納部４０の左右側壁５０の上方へ向けて左右側壁５０と間隔を保つ位置まで延びている。
【００２５】
前面扉１１は引き出し支持装置３８に軸支持装置９０によって回動可能に支持されている。この軸支持装置９０は以下の構成である。即ち、レール部材４３の左右辺の前部には、補助物品収納部４０の左右側壁５０の外側位置において扉１１の裏側まで延びた支持板５２が取り付けられている。図８に示すように、支持板５２の下部には、補助物品収納部４０の左右両側に延びる腕部５３を形成し、この腕部５３に軸孔５６を形成している。扉１１の裏側の下部、即ちパッキン４２で囲まれた内側領域の下部には、左右水平方向に延びた軸受けパイプ５４が、螺子５５によって扉１１に締め付けられる固定部材５７によって取り付けられている。５８は軸孔５６に嵌め合わされる軸部材であり、軸部材５８は、先端部に軸受けパイプ５４内の螺子部に螺合する螺子部５９を形成している。図８には右側の構成を示しているが、左側もこれと同様の構成である。このように軸孔５６と軸部材５８との嵌め合いによって、前面扉１１は引き出し支持装置３８に軸支持装置９０によって回動可能に支持され、前面扉１１は補助物品収納部４０と共に上部が前方へ傾斜するように回動可能である。
【００２６】
図９には、軸支持装置９０の他の形態を示す。これにおいて、軸受けパイプ５４に代わって軸受けパイプ５４と同様に軸部材９１が、扉１１の裏側の下部、即ちパッキン４２で囲まれた内側領域の下部に取り付けられている。軸部材９１はその左右両端部に軸孔５６に嵌め合わされる軸部９２と、その先に軸部９２より小径の螺子部９３を形成しており、螺子部９３には支持板５２の腕部５３の外側からナット９４が螺合して、軸孔５６と軸部９２との嵌め合いによって、前面扉１１は引き出し支持装置３８に回動可能に支持され、前面扉１１は補助物品収納部４０と共にその上部が前方へ傾斜するように回動可能である。
【００２７】
前面扉１１の回動範囲を規制する構成は如何なる構成でもよいが、その一つの構成として、左右の支持板５２の両方又は一方の前端部には外方向へ略９０°の角度で屈曲した略垂直方向の固定側係止部９５を形成し、一方、前面扉１１の裏側には、左右の支持板５２の外側において左右の支持板５２に略平行に延びた係止腕９６を設け、この係止腕９６の中間部に上部が後方へ傾斜する状態で内側方向へ突出した可動側係止部９７を形成している。
【００２８】
前面扉１１が貯蔵室（野菜室）４の前面開口を閉じた状態では、図３に示すように、固定側係止部９５と可動側係止部９７は離れた状態である。軸支持装置９０の軸支持部を中心として前面扉１１の上部が前方へ回動して固定側係止部９５へ可動側係止部９７が当接したとき、前面扉１１の前方への回動が規制され、前面扉１１は前傾状態となる。固定側係止部９５へ可動側係止部９７が当接した状態において、補助物品収納部４０の物品が収納された状態でも前面扉１１が前傾状態を保持するように、軸支持装置９０の軸支持部の位置を設定しておくこともできる。
【００２９】
補助物品収納部４０を備えた扉１１は、野菜容器１５と共に引き出し支持装置３８によって前後方向へ引き出し可能である。このために、野菜容器１５側と扉１１側とが着脱自在に連結される連結装置６０が設けられている。この連結装置６０の一つの形態としては、野菜容器１５側にはレール部材４３の前端から突出したフック６１が設けられ、扉１１側には、このフック６１の鉤状部に着脱自在に係止する係止部６２と、この係止部６２とフック６１との係止を解除させる操作部６３とを設けた構成である。フック６１は、レール部材４３と一体形成でもよく又はレール部材４３に別個のフックを取り付けた構成のいずれでもよい。
【００３０】
係止部６２の一つの形態としては、常時フック６１との係止位置へ向けてバネ６４によって電磁石６５本体から突出した可動部材で構成することができる。そして操作部６３は、前面扉１１の前面に突出した取っ手６６内に設けたスイッチ６７を取っ手６６の裏側に突出した操作部６３を操作することによりＯＮさせる構成であり、スイッチ６７のＯＮ状態中は電磁石６５に通電して係止部６２を矢印Ｙ方向へ吸引して引っ込め、それによって係止部６２をフック６１との係止位置から退避させ、前面扉１１は軸支持装置９０の軸支持部を中心にして前方へ回動可能である。スイッチ６７のＯＦＦによって係止部６２はバネ６４によって電磁石６５本体から突出する。前面扉１１が前方へ回動した状態で係止部６２が突出していても、前面扉１１を垂直状態に復帰すべく扉１１を後方へ回動させることによって、係止部６２はバネ６４に抗してフック６１に係止することとなる。この係止状態において前面扉１１を後方へ押し込むことによって、前面扉１１と共に野菜容器１５は引き出し支持装置３８によって野菜室４内へ水平に収納移動される。
【００３１】
７０は野菜容器１５の左右側壁の上端に形成した凹所７１に載置した小物入れ容器である。扉１１の前方への回動に伴って補助物品収納部４０が回動することにより、野菜容器１５の前面には空間が形成されため、野菜容器１５への物の出し入れがし易くなる。また、野菜容器１５は、上面に開口し、更に前面上部も開口しているため、扉１１の前方への回動に伴って補助物品収納部４０が回動することにより、野菜容器１５の前面の空間が広くなり、野菜容器１５への物の出し入れがし易くなる。
【００３２】
また、前面扉１１が物品収納容器（野菜室）１５を支持するレール部材４３に取り付けた支持板５２対して下部の軸支持部を中心として上部が前方へ回動可能に支持される構成は、上記に限定されず他の構成でもよい。
【００３３】
上記のように、物品収納容器１５は引き出し支持装置３８にて貯蔵室４に前後方向に引き出し収納自在に支持され、前面扉１１も引き出し支持装置３８にて前後方向に引き出し自在に支持されている。そして、前面扉１１は軸支持装置９０の軸支持部を中心として上部が前方へ回動可能に支持されるように構成され、前面扉１１と物品収納容器１５が共に前後方向へ引き出される結合状態と、この結合状態が解除されて前面扉１１が回動可能となる解除状態とに切り替えられる連結装置６０を備え、前面扉１１の裏側には、物品収納容器１５の前方位置で前面扉１１の回動と共に回動する補助物品収納部４０を設けている。
【００３４】
このような構成において、図３のように前面扉１１が貯蔵室（野菜室）４の前面開口を閉じた略垂直状態では、連結装置６０によって前面扉１１と物品収納容器１５が結合状態である。この結合状態において、前面扉１１の取っ手６６を前方へ引くことにより、前面扉１１は略垂直状態のまま物品収納容器１５と共に水平方向へ引き出される。この引き出された位置で、取っ手６６の裏側に突出した操作部６３を操作して連結装置６０による前記結合状態を解除することにより、前面扉１１は、図４に示すように、軸支持装置９０の軸支持部を中心として上部が前方へ回動可能となる。前面扉１１は前方へ回動した状態では、補助物品収納部４０のペットボトル等の物品４１を前傾した前面扉１１方向に沿って、斜め上方へ取り出すことができる。
【００３５】
このように、連結装置６０の解除によって前面扉１１の回動が可能となるため、補助物品収納部４０への物品の収納及び取り出しの必要時に連結装置６０を解除操作すれば、前面扉１１の前傾状態においての補助物品収納部４０への物品の収納及び取り出しが可能となり、取り出しと収納がし易く、従来に比して労力が少なく使用性に富む貯蔵庫が提供できる。また、前面扉１１と補助物品収納部４０の回動によって、補助物品収納部４０の奥側の物品収納容器１５への物品の収納及び取り出しがし易くなる効果がある。また、連結装置６０の解除操作を前面扉１１の取っ手部６６によって行えるため、扉１１の引き出し操作と連結装置６０の解除操作を片手で行うことができ便利である。
【００３６】
上記のように、連結装置６０の解除によって前面扉１１の回動が可能となるため、図３に示すように、前面扉１１が貯蔵室（野菜室）４の前面開口を閉じた状態において、連結装置６０を解除すると前面扉１１は前方へ回動可能となる。図３に示す状態において、連結装置６０を解除して、図７に示すように補助物品収納部４０の物品４１を取り出せるように前面扉１１を前方へ回動し、補助物品収納部４０の物品４１を斜め前方へ引き上げると、物品４１の重量によって前面扉１１を前方へ押す作用力が働き、前面扉１１が前方へ移動する場合がある。このように物品４１の引き上げ途中に前面扉１１が前方へ移動すると、物品４１の引き上げが不安定となり、物品４１の引き上げを難くすると共に、物品４１を引き上げ途中で落とすことにも繋がり、重い物品４１の場合には危険である。
【００３７】
本発明では、このような支障が生じないように、連結装置６０が解除されて前面扉１１が前傾状態に回動したとき、前面扉１１の引き出しが制限される係止装置１００を設けたことを特徴とする。即ち、図３に示す状態において連結装置６０を解除して、補助物品収納部４０の物品４１を取り出せる位置まで前面扉１１を前方へ回動すると、図７に示すように係止腕９６の後端部の係止部９８が固定側ローラ４４の後側に当接する。この当接によって、前面扉１１は引き出し支持装置３８による前方への引き出しが規制される。この係止腕９６の係止部９８と固定側ローラ４４とで係止装置１００を構成する。この構成によって、前傾した前面扉１１に沿って補助物品収納部４０の物品４１を引き上げ、その引き上げに伴って物品４１が前面扉１１を前方へ押しても、その作用力によって前面扉１１が前方へ移動することは阻止される。このため、物品４１の引き上げ操作が安定し、重い物品４１の場合にも落下の危険も少なくなる。
【００３８】
係止装置１００の構成は上記の他に、係止腕９６の一部が野菜室４の左右側壁に一部分に当接する構成としてもよく、又は他の構成でもよい。
【００３９】
上記の構成では、前面扉１１が貯蔵室（野菜室）４の前面開口を閉じた状態において、連結装置６０を解除して前面扉１１を前方へ回動させたとき、引き出し支持装置３８による前面扉１１の前方への引き出しが係止装置１００によって規制される構成である。しかし、前面扉１１を引き出し支持装置３８によってある程度前方へ引き出した状態で、連結装置６０を解除して前面扉１１を前方へ回動させたとき係止装置１００によって前面扉１１の前方への引き出しが規制される構成とすることもできる。この場合には、係止腕９６の長さを長くして、前面扉１１をある程度前方へ引き出した状態で係止部９８が固定側ローラ４４に係止すればよい。
【００４０】
上記実施形態では、連結装置６０が電気式であるが、これに限定されず機械式とすることもできる。例えば、扉１１の取っ手６６の裏側に突出した操作部であるレバーがバネ力によって復帰位置を保ち、取っ手６６を握った手でこのバネ力に抗してこのレバーをスライドさせることにより、連結部材を介してこれと連結した係止部６２がフック６１との係止位置から退避して扉１１が回動可能となり、レバーをスライドさせる操作から手を離すことにより前記バネ力によってレバーが復帰位置に復帰すると共に係止部６２がフックとの係止位置へ突出するように機械式構成とするものでもよい。
【００４１】
上記実施形態では貯蔵室が野菜室の形態を示しているが、上記実施形態に限定されず、本発明の技術的範囲を逸脱しない限り種々の変更が考えられ、それに係る種種の実施形態を包含するものである。
【００４２】
【発明の効果】
本発明は、補助物品収納部にペットボトル、ビール瓶及び牛乳パックなどの比較的背の高い比較的重い物品を収納する場合にも、前面扉と共に補助物品収納部を前方へ引き出した状態で回動させることにより、重いペットボトル等でも斜め状態で取り扱いができるため、この補助物品収納部に対する物品の取り出しと収納がし易くなり、従来に比して労力が少なく使用性に富む貯蔵庫が提供できる。そして、前記前面扉を回動して補助物品収納部からペットボトル等を斜め上方に取り出すとき、その取り出しに伴う前面扉の前方への移動が制限されるため、ペットボトル等の取り出し操作が安定し、重い物品の場合にも落下の危険も少なくなる。
【００４３】
また、連結装置の解除によって前面扉の回動が可能となるため、補助物品収納部への物品の収納及び取り出しの必要時に連結装置を解除操作すれば、前傾状態においての補助物品収納部への物品の収納及び取り出しが可能となり、取り出しと収納がし易くなり、従来に比して労力が少なく使用性に富む貯蔵庫が提供できる。また、前面扉と補助物品収納部の回動によって、補助物品収納部の奥側の物品収納容器への物品の収納及び取り出しもし易くなる効果がある。また、連結装置の解除操作を前面扉の取っ手部によって行えるため、扉の引き出し操作と連結装置の解除操作を片手で行うことができ、便利である。そして、前記前面扉を回動して補助物品収納部からペットボトル等を斜め上方に取り出すとき、その取り出しに伴う前面扉の前方への移動が制限されるため、ペットボトル等の取り出し操作が安定に行える効果がある。
【００４４】
また、貯蔵室が冷蔵温度室であることにより、前面扉の回動部分が凍結する心配もなく、常時安定した回動が得られる。そして、物品補助収納部に収納したペットボトル等の如き飲料容器の冷却に適すると共に、前面扉の回動によって前記のようにその飲料容器の取り出しと収納の容易さが達成できる。また、奥側の物品収納容器を上面開口の野菜収納容器とする場合にも、前面扉の回動によって物品補助収納部も回動して前傾状態となるため、野菜収納容器への野菜や根菜の収納及び取り出しもし易くなる。そして、前記前面扉を回動して補助物品収納部からペットボトル等を斜め上方に取り出すとき、その取り出しに伴う前面扉の前方への移動が制限されるため、ペットボトル等の取り出し操作が安定に行える効果がある。
【図面の簡単な説明】
【図１】本発明の冷蔵庫の縦断側面図である。
【図２】本発明の扉側と物品収納容器側との関係を示す分解斜視図である。
【図３】本発明の扉を閉じた状態を示す側面図である。
【図４】本発明の扉を引き出して回動した状態を示す側面図である。
【図５】貯蔵室の前面開口を本発明の扉を閉じた状態における貯蔵室右前側部分の平面図である。
【図６】本発明の連結装置の説明図である。
【図７】貯蔵室の前面開口を本発明の扉で閉じた状態において本発明の扉を回動した状態を示す側面図である。
【図８】本発明扉の回動軸部の分解斜視図である。
【図９】本発明扉の回動軸部の他の形態を示す分解斜視図である。
【符号の説明】
１・・・貯蔵庫（冷蔵庫）
２・・・貯蔵庫本体（冷蔵庫本体）
４・・・貯蔵室（野菜室）
１１・・・前面扉
１５・・・主物品収納部・物品収納容器（野菜容器）
４０・・・補助物品収納部
４３・・レール
４４・・固定側ローラ
４６・・レール
６０・・連結装置
６１・・フック
６２・・係止部
６３・・操作部
６５・・電磁石
６６・・取っ手
６７・・スイッチ
９６・・係止腕
９８・・係止部
１００・・係止装置
【図１】
2004324917.tif 000003
【図２】
2004324917.tif 000004
【図３】
2004324917.tif 000005
【図４】
2004324917.tif 000006
【図５】
2004324917.tif 000007
【図６】
2004324917.tif 000008
【図７】
2004324917.tif 000009
【図８】
2004324917.tif 000010
【図９】
2004324917.tif 000011